【手続補正書】
【提出日】令和1年12月17日(2019.12.17)
【手続補正１】
【補正対象書類名】明細書
【補正対象項目名】０００８
【補正方法】変更
【補正の内容】
【０００８】
【図１】この発明の実施の形態１に係る監視制御支援装置を備えた監視制御システムの構成を示した概要図である。
【図２】この発明の実施の形態１に係る監視制御支援装置の構成を示した機能ブロック図である。
【図３Ａ】この発明の実施の形態１に係る監視画面表示時間データを記録する手順を示すフローチャートである。
【図３Ｂ】この発明の実施の形態１に係る推奨監視画面候補データを作成する手順を示すフローチャートである。
【図３Ｃ】この発明の実施の形態１に係る推奨監視画面正式データを登録する手順を示すフローチャートである。
【図３Ｄ】この発明の実施の形態１に係る推奨監視画面表示データを検索する手順を示すフローチャートである。
【図３Ｅ】この発明の実施の形態１に係る推奨監視画面表示データを監視端末に表示する手順を示すフローチャートである。
【図４】この発明の実施の形態２に係る監視制御支援装置の構成を示した機能ブロック図である。
【図５Ａ】この発明の実施の形態２に係る操作データを記録する手順を示すフローチャートである。
【図５Ｂ】この発明の実施の形態２に係る推奨操作候補データを作成する手順を示すフローチャートである。
【図５Ｃ】この発明の実施の形態２に係る推奨操作正式データを登録する手順を示すフローチャートである。
【図５Ｄ】この発明の実施の形態２に係る推奨操作表示データを検索する手順を示すフローチャートである。
【図５Ｅ】この発明の実施の形態２に係る推奨操作表示データを監視端末に表示する手順を示すフローチャートである。
【図６】この発明の実施の形態３に係る監視制御支援装置の構成を示した機能ブロック図である。
【図７Ａ】この発明の実施の形態３に係る操作データを記録する手順を示すフローチャートである。
【図７Ｂ】この発明の実施の形態３に係る計測項目及び操作対応データを作成する手順を示すフローチャートである。
【図７Ｃ】この発明の実施の形態３に係る推奨操作正式データを登録する手順を示すフローチャートである。
【図７Ｄ】この発明の実施の形態３に係る推奨操作表示データを検索する手順を示すフローチャートである。
【図７Ｅ】この発明の実施の形態３に係る推奨操作表示データを監視端末に表示する手順を示すフローチャートである。
【図８】この発明の実施の形態４に係る監視制御支援装置の構成を示した機能ブロック図である。
【図９Ａ】この発明の実施の形態４に係る推奨操作実行データを検索する手順を示すフローチャートである。
【図９Ｂ】この発明の実施の形態４に係る推奨操作実行データを監視端末に表示し実行する手順を示すフローチャートである。
【図１０】この発明の実施の形態５に係る監視制御支援装置を備えた監視制御システムの構成を示した概要図である。
【図１１】この発明の実施の形態５に係る監視制御支援装置の構成を示した機能ブロック図である。
【図１２Ａ】この発明の実施の形態５に係る正解操作データを検索する手順を示すフローチャートである。
【図１２Ｂ】この発明の実施の形態５に係る訓練操作の評価を行う手順を示すフローチャートである。
【手続補正２】
【補正対象書類名】明細書
【補正対象項目名】００１１
【補正方法】変更
【補正の内容】
【００１１】
図２は、実施の形態１に係る監視制御支援装置１の構成を示した機能ブロック図である。矢印は情報の流れを示している。図において、操作員が監視端末２を操作した時の情報が、データ収集部１１により収集され、端末情報データベース１２に登録される。操作員が監視端末２を操作した時の情報の例として、各時間帯で表示されている監視画面、監視画面名称およびその表示時間、操作内容等がある。データ解析部１３は端末情報データベース１２から、データ（情報）の種類に応じて重要度等を解析し、推奨情報候補データとして抽出し、推奨情報候補データベース１４に格納する。推奨情報編集部１５は、推奨情報候補データベース１４を参照し、データ（情報）を監視端末２に表示する。監視端末２に表示された情報は熟練操作員によって精査され、推奨情報正式データに選別された場合、推奨情報編集部１５は推奨情報正式データベース１６に登録処理を行う。
推奨情報検索部１７は、検索すべき情報を監視端末２から取得し、推奨情報正式データベース１６から、検索条件に適したデータ（情報）を検索し、その結果を推奨情報表示データベース１８に格納する。推奨情報表示部１９は、推奨情報表示データベース１８からのデータ（情報）を監視端末２に送信し、表示する。
【手続補正３】
【補正対象書類名】明細書
【補正対象項目名】００３０
【補正方法】変更
【補正の内容】
【００３０】
以上のように、本実施の形態２では、経験の浅い操作員が監視制御支援装置１の支援を受けて監視端末２で監視制御を行っている時に、警報が発生しても、監視制御支援装置１のデータ収集部１１は、熟練操作員が警報発生時に操作しているデータを警報毎に収集し、データ解析部１３はデータ収集部で収集した警報毎に解析して推奨監操作候補データを作成し、推奨情報編集部１５は、データ解析部１３で作成した推奨操作候補データを正式な推奨操作データとして登録しており、推奨情報検索部１７は、推奨情報編集部１５で登録された推奨操作正式データから現在発生している警報に対応する適切な推奨操作を検索し、推奨情報表示部１９により推奨情報検索部１７で検索された推奨操作を監視端末２に表示するようにしたので、経験の浅い操作員が操作に迷わないで、表示された推奨操作を行うことで、熟練操作員と同様の操作を行うことができるようになる。
【手続補正４】
【補正対象書類名】明細書
【補正対象項目名】００５０
【補正方法】変更
【補正の内容】
【００５０】
図８は、この発明の実施の形態４に係る監視制御支援装置１の構成を示した機能ブロック図である。構成については、同符号については同じあるいは相当部分を示している。
図において、監視制御支援装置１はさらに、推奨操作実行データベース２１および推奨操作実行部２０を有する。
すなわち、監視制御支援装置１は、上記実施の形態１〜３で説明したとおり、監視端末２にて熟練操作員が操作した時の画面表示時間データ、操作データ及びプラント監視計測データを記録、保存し、記録したデータから定常時の推奨画面データ、プラント監視項目がどのような値の時にどのような操作を行うべきか、警報時の操作データ等の推奨操作データを推奨情報正式データベース１６に登録している。推奨情報検索部１７が監視端末２により、現在のプラント監視計測データおよび警報発生状況などを取得し、登録された推奨情報正式データベース１６の中から現在の状況にあった適切な操作を自動で検索し、推奨操作実行データベース２１に登録する。推奨操作実行部２０は、監視端末２に表示するとともに、監視端末２からその操作を実行するようにする。
【手続補正５】
【補正対象書類名】明細書
【補正対象項目名】００５１
【補正方法】変更
【補正の内容】
【００５１】
以下、動作について図８、図９Ａ、９Ｂを参照して説明する。なお、監視端末からのデータ収集、推奨情報（画面及び操作）正式データの登録までは、実施の形態１〜３と同様であり、説明を省略する。
推奨操作データの検索について図９Ａを用いて説明する。推奨情報検索部１７は監視端末２から現在発生中の警報データ及びプラント監視計測データを取得し（ステップＳＴ−Ｄ４１）、取得したデータをもとに、推奨情報正式データベース１６の中から、警報時に対応した推奨操作正式データベース１６ｂや、関連する計測項目に対応した推奨操作正式データベース１６ｃ、現在の時刻対応した推奨監視画面正式データベース１６ａを検索する（ステップＳＴ−Ｄ４２）。適切な推奨操作や画面が抽出されると（ステップＳＴ−Ｄ４３でＹｅｓ）、抽出された推奨操作や画面を推奨情報表示データベース１８に保存するとともに、推奨操作実行データベース２１に保存し、更新する（ステップＳＴ−Ｄ４４）。
【手続補正６】
【補正対象書類名】明細書
【補正対象項目名】００５２
【補正方法】変更
【補正の内容】
【００５２】
次に、推奨操作の実行について図９Ｂを用いて説明する。推奨操作実行部２０は監視端末２を操作するのが熟練操作員でない場合（ステップＳＴ−Ｅ４１でＹｅｓ）、推奨操作実行データベースが更新されたタイミングで（ステップＳＴ−Ｅ４２でＹｅｓ）、監視端末２へ実行する操作内容を表示し（ステップＳＴ−Ｅ４３）、推奨操作実行データの内容を実行する（ステップＳＴ−Ｅ４４）。
なお、図９Ａにおいて、警報時やプラント監視計測データに変動がある場合、すなわち監視計測項目に閾値を超えるような変動が生じた場合は推奨情報正式データベース１６中の各データベースが更新され、警報時やプラント監視計測データに変動がある場合、すなわち定常時は、監視端末２へその時刻の推奨監視画面の表示を実行とする。
【手続補正７】
【補正対象書類名】明細書
【補正対象項目名】００５３
【補正方法】変更
【補正の内容】
【００５３】
本実施の形態４によれば、定常時はその時刻、時間帯の推奨監視画面が自動で表示され、警報発生時や監視計測項目に変動が生じた場合は、監視制御支援装置１の推奨情報検索部１７が監視端末２から取得した警報データやプラント監視計測データに対応した操作について検索し、推奨操作実行部２０により、推奨情報検索部１７で検索された推奨操作、監視画面を監視端末２に表示するとともに実行するようにしたので、経験の浅い操作員が操作中であっても、適切なタイミングで熟練操作員と同様の操作が実行されるので、操作員の負担を減らすことができる。
【手続補正８】
【補正対象書類名】明細書
【補正対象項目名】００６１
【補正方法】変更
【補正の内容】
【００６１】
上述の実施の形態１から５の監視制御支援装置１は、それぞれの機能を実行するためのハードウエアとして、処理回路として、ＣＰＵ（Ｃｅｎｔｒａｌ  Ｐｒｏｃｅｓｓｉｎｇ  Ｕｎｉｔ）等の演算処理装置（コンピュータ）、演算処理装置とデータのやり取りする記憶装置、演算処理装置に外部の信号を入力する入力回路、及び演算処理装置から外部に信号を出力する出力回路等を備えている。